(57)【要約】【課題】別途固定用の部品を要することなく、容易にモータを取付部材に確実に取り付けることができるモータの取付構造を提供する。【解決手段】合成樹脂からなる取付部材１４の底部を有する凹部１５にモータ１０を取り付ける構造であって、モータ１０のケース１０ａの外周面に、外方に突出する突起部１１が周方向に間隔をおいた複数箇所に設けられ、かつ凹部１５の内周面であって突起部１１よりも凹部１５の開口部側に、突起部１１に係合してモータ１０の開口部側への移動を阻止する係止部１６が形成されている。【選択図】図１
2017103839.tif 000002
【特許請求の範囲】
【請求項１】
合成樹脂からなる取付部材の底部を有する凹部にモータを取り付ける構造であって、
上記モータのケースの外周面に、外方に突出する突起部が当該外周面の周方向に間隔をおいた複数箇所に設けられ、かつ上記凹部の内周面であって上記突起部よりも上記凹部の開口部側に、上記突起部に係合して上記モータの上記開口部側への移動を阻止する係止部が形成されていることを特徴とするモータの取付構造。
【請求項２】
上記係止部は、上記開口部側から上記底面側に向けて漸次高さ寸法が増加するテーパー状に形成されていることを特徴とする請求項１に記載のモータの取付構造。
【請求項３】
上記凹部の内周面には、上記突起部の上記周方向の両側に突出して上記突起部の上記周方向の移動を係止する第２の係止部が形成されていることを特徴とする請求項２に記載のモータの取付構造。
【発明の詳細な説明】
【技術分野】
【０００１】
本発明は、機器類におけるモータの取付部材に形成された凹部内に、上記モータを取り付けるためのモータの取付構造に関するものである。
【背景技術】
【０００２】
例えば、モータ駆動の電動開閉弁等においては、上記弁に一体成形された取付部材にモータが取り付けられている。
図４は、従来のこの種のモータの取付構造を示すもので、図中符号１が上記弁等に一体成形された取付部材であり、この取付部材１には、モータ２が挿入される有底円筒状の凹部３が形成されている。
【０００３】
他方、モータ２は、円筒状のケース２ａ内に周知のコイル、ステータおよびロータが組み込まれたもので、ロータに一体化された出力軸には、当該出力軸の回転によって直線運動する弁体４が取り付けられている。
【０００４】
そして、モータ２は、取付部材１の凹部３内に挿入され、先端の弁体４が凹部３の底面３ａに形成された穴部５内に配置されるとともに、端子２ｂが接続された回路基板２ｃが取付部材１の開口部に固定された状態で凹部３内に収納され、さらに凹部３の開口部側に設けられた金属プレート６および保持バネ７によって位置決めおよび抜け止めされた状態で固定されている。
【０００５】
また、図５は、従来の他のモータの取付構造を示すもので、このモータ８においては、ケース８ａの外周にフランジ９を一体に形成し、このフランジ９のボルト孔９ａに挿入したボルトによって取付部材（図示を略す。）に固定するようにしたものである。
なお、下記特許文献１においても、同様のフランジによってモータを取付部材に固定するモータの取付構造が開示されている。
【先行技術文献】
【特許文献】
【０００６】
【特許文献１】特開２０００−２７８９０５号公報
【発明の概要】
【発明が解決しようとする課題】
【０００７】
ところで、従来のこれらのモータの取付構造にあっては、いずれもモータ２、８を取付部材に固定するために、別途金属プレート６および保持バネ７やボルト等の部品が必要になり、部品点数が増加するとともに、取り付け作業にも手間を要するという問題点があった。
【０００８】
本発明は、上記事情に鑑みてなされたものであり、別途固定用の部品を要することなく、容易にモータを取付部材に確実に取り付けることができるモータの取付構造を提供することを課題とするものである。
【課題を解決するための手段】
【０００９】
上記課題を解決するため、請求項１に記載の発明は、合成樹脂からなる取付部材の底部を有する凹部にモータを取り付ける構造であって、上記モータのケースの外周面に、外方に突出する突起部が当該外周面の周方向に間隔をおいた複数箇所に設けられ、かつ上記凹部の内周面であって上記突起部よりも上記凹部の開口部側に、上記突起部に係合して上記モータの上記開口部側への移動を阻止する係止部が形成されていることを特徴とするものである。
【００１０】
また、請求項２に記載の発明は、請求項１に記載の発明において、上記係止部が、上記開口部側から上記底面側に向けて漸次高さ寸法が増加するテーパー状に形成されていることを特徴とするものである。
【００１１】
さらに、請求項３に記載の発明は、請求項２に記載の発明において、上記凹部の内周面には、上記突起部の上記周方向の両側に突出して上記突起部の上記周方向の移動を係止する第２の係止部が形成されていることを特徴とするものである。
【発明の効果】
【００１２】
請求項１〜３のいずれかに記載の発明によれば、モータを取付部材の凹部内に挿入して、ケースの外周面に形成された突起部を凹部の内周面に形成された係止部よりも底面側に位置させることにより、上記係止部によって上記取付部材の開口部側への上記モータの移動を阻止することができる。
【００１３】
しかも、上記突起部および係止部を、周方向に間隔をおいた複数箇所に設けているために、上記モータを凹部内に安定的に保持することができる。この結果、別途固定用の部品を要することなく、容易にモータを取付部材に確実に取り付けることができる。
【００１４】
ここで、上記突起部および係止部は、モータの先端面が凹部の底面に当接した位置において、突起部の開口部側の端面が係止部の底面側の端面に当接する位置に形成することが好ましい。
【００１５】
また、請求項２に記載の発明によれば、取付部材の内周面の係止部を、開口部側から底面側に向けて漸次高さ寸法が増加するテーパー状に形成しているために、モータを取付部材の凹部内に挿入する際に、外周面の突起部を係止部の上面に沿って押し込むことにより、容易に上記突起部を係止部の上記底面側に嵌合させることができる。
【００１６】
さらに、請求項３に記載の発明によれば、凹部の内周面に、上記突起部の両側に位置して周方向の移動を阻止する第２の係止部を形成しているために、取り付け後にモータが回転して突起部と係止部の係合が外れることを確実に防止することが可能になる。
【図面の簡単な説明】
【００１７】
【図１】本発明に係るモータの取付構造の一実施形態を示す一部断面視した正面図である。
【図２】図１のモータの斜視図である。
【図３】本発明の他の実施形態を示すもので、（ａ）は正面図、（ｂ）は（ａ）のＡ−Ａ線視断面図である。
【図４】従来のモータの取付構造を示す一部断面視した正面図である
【図５】従来の他のモータの取付構造におけるモータの斜視図である。
【発明を実施するための形態】
【００１８】
図１および図２は、本発明に係るモータの取付構造の一実施形態を示すもので、図中符号１０がモータである。
このモータ１０は、両端が塞がれた金属製の円筒状のケース１０ａ内に周知のコイル、ステータおよびロータが組み込まれたもので、ケース１０ａの外周面には、当該ケース１０ａを絞り加工またはプレス加工する際に複数の突起部１１が成型加工されている。
【００１９】
これら突起部１１は、円周方向に等間隔をおいた少なくとも２箇所（１８０°配列）、より好ましくは３箇所（１２０°配列）に形成されている。また、これら突起部１１は、上記外周面から径方向に突出するように形成されたもので、その上面が略方形に形成されている。
【００２０】
そして、このモータ１０のロータに一体化された出力軸には、当該出力軸の回転によって直線運動する弁体１２が取り付けられている。また、ステータに接続された複数本の端子１０ｂは、それぞれ回路基板１３の所定位置に接続されている。
【００２１】
一方、このモータ１０が取り付けられる機器類の取付部材１４は、合成樹脂によって一体成形されたもので、モータ１０の取付部分が略有底円筒状の凹部１５に形成されている。そして、この凹部１４の内周面であってモータ１０の突起部１１に対応する位置には、それぞれ係止部１６が一体に形成されている。
【００２２】
これら係止部１６は、各々モータ１０の先端面が凹部１４の底面１４ａに当接した位置において、突起部１１の開口部側の端面１１ａが当該係止部１６の底面１４ａ側の端面１６ａに略当接する位置に形成されている。また、係止部１６は、開口部側から底面１４ａ側に向けて漸次高さ寸法が増加するテーパー状に形成されている。
【００２３】
そして、モータ１０は、取付部材１４の凹部１５内に挿入され、先端の弁体１２が凹部１５の底面１５ａに形成された穴部１７内に配置されるとともに、突起部１１を係止部１６の底面１４ａ側に嵌合させることにより、開口部側への移動が阻止された状態で、端子１１ｂが接続された回路基板１３が取付部材１４の開口部に固定されて上記凹部１５内に固定されている。
【００２４】
上記構成からなるモータの取付構造によれば、モータ１０を取付部材１４の凹部１５内に挿入して、ケース１０ａの外周面に形成された突起部１１を凹部１５の内周面に形成された係止部１６よりも底面１４ａ側に位置させることにより、係止部１６によって取付部材１４の開口部側へのモータ１０の移動を阻止することができる。
【００２５】
しかも、突起部１１および係止部１６を、周方向に間隔をおいた複数箇所に設けているために、モータ１０を凹部１５内に安定的に保持することができる。この結果、別途固定用の部品を要することなく、容易にモータ１０を取付部材１４に確実に取り付けることができる。
【００２６】
加えて、取付部材１４の内周面の係止部１６を、開口部側から底面１４ａ側に向けて漸次高さ寸法が増加するテーパー状に形成しているために、モータ１０を取付部材１４の凹部１５内に挿入する際に、外周面の突起部１１を係止部１６の上面に沿って押し込むことにより、突起部１１および係止部１６を弾性変形させつつ、容易に突起部１１を係止部１６の底面１４ａ側に嵌合させることができる。
【００２７】
また、図３は、本発明に係るモータの取付構造の他の実施形態を示すもので、図１および図２に示したものと同一構成部分については、同一符号を付してその説明を簡略化する。
図３に示すように、このモータの取付構造においては、凹部１５の内周面に、突起部１１の円周方向の両側に、上記内周面から突出する壁部（第２の係止部）２０が形成されている。
【００２８】
これにより、モータ１０は、凹部１５内に挿入されて突起部１１を係止部１６の底面１４ａ側に嵌合させた状態で、上記壁部２０により円周方向の移動（軸線廻りの回転）が阻止されて取り付けられている。
【００２９】
したがって、上記構成からなるモータの取付構造によれば、図１および図２に示したものと同様の作用効果を得ることができることに加えて、さらに凹部１５の内周面に、突起部１１の両側に位置して円周方向の移動を阻止する壁部２０を形成しているために、モータ１０に形成した突起部１１と取付部材１４の凹部１５の内周面に形成した係止部１６との間に間隙がある場合においても、取り付け後にモータ１０が軸線廻りに回転して突起部１１と係止部１６の係合が外れることを確実に防止することができる。
【符号の説明】
【００３０】
１０  モータ
１０ａ  ケース
１１  突起部
１４  取付部材
１４ａ  底面
１５  凹部
１６  係止部
２０  壁部（第２の係止部）
【図１】
2017103839.tif 000003
【図２】
2017103839.tif 000004
【図３】
2017103839.tif 000005
【図４】
2017103839.tif 000006
【図５】
2017103839.tif 000007
【手続補正書】
【提出日】平成29年1月16日(2017.1.16)
【手続補正１】
【補正対象書類名】特許請求の範囲
【補正対象項目名】請求項１
【補正方法】変更
【補正の内容】
【請求項１】
合成樹脂からなる取付部材の底面を有する凹部にモータを取り付ける構造であって、
上記モータのケースの外周面に、外方に突出する突起部が当該外周面の周方向に間隔をおいた複数箇所に設けられるとともに、上記凹部の内周面であって上記突起部よりも上記凹部の開口部側に、上記モータの先端面が上記凹部の上記底面に当接した位置において上記突起部に係合して上記底面との間で上記モータの上記開口部側への移動を阻止する係止部が形成されていることを特徴とするモータの取付構造。
【手続補正２】
【補正対象書類名】明細書
【補正対象項目名】０００９
【補正方法】変更
【補正の内容】
【０００９】
上記課題を解決するため、請求項１に記載の発明は、合成樹脂からなる取付部材の底部を有する凹部にモータを取り付ける構造であって、上記モータのケースの外周面に、外方に突出する突起部が当該外周面の周方向に間隔をおいた複数箇所に設けられるとともに、上記凹部の内周面であって上記突起部よりも上記凹部の開口部側に、上記モータの先端面が上記凹部の上記底面に当接した位置において上記突起部に係合して上記底面との間で上記モータの上記開口部側への移動を阻止する係止部が形成されていることを特徴とするものである。
【手続補正３】
【補正対象書類名】明細書
【補正対象項目名】００１４
【補正方法】削除
【補正の内容】
【手続補正４】
【補正対象書類名】明細書
【補正対象項目名】００２１
【補正方法】変更
【補正の内容】
【００２１】
一方、このモータ１０が取り付けられる機器類の取付部材１４は、合成樹脂によって一体成形されたもので、モータ１０の取付部分が略有底円筒状の凹部１５に形成されている。そして、この凹部１５の内周面であってモータ１０の突起部１１に対応する位置には、それぞれ係止部１６が一体に形成されている。
【手続補正５】
【補正対象書類名】明細書
【補正対象項目名】００２２
【補正方法】変更
【補正の内容】
【００２２】
これら係止部１６は、各々モータ１０の先端面が凹部１５の底面１４ａに当接した位置において、突起部１１の開口部側の端面１１ａが当該係止部１６の底面１４ａ側の端面１６ａに略当接する位置に形成されている。また、係止部１６は、開口部側から底面１４ａ側に向けて漸次高さ寸法が増加するテーパー状に形成されている。
【手続補正６】
【補正対象書類名】明細書
【補正対象項目名】００２３
【補正方法】変更
【補正の内容】
【００２３】
そして、モータ１０は、取付部材１４の凹部１５内に挿入され、先端の弁体１２が凹部１５の底面１４ａに形成された穴部１７内に配置されるとともに、突起部１１を係止部１６の底面１４ａ側に嵌合させることにより、開口部側への移動が阻止された状態で、端子１１ｂが接続された回路基板１３が取付部材１４の開口部に固定されて上記凹部１５内に固定されている。
【手続補正７】
【補正対象書類名】明細書
【補正対象項目名】００２９
【補正方法】変更
【補正の内容】
【００２９】
したがって、上記構成からなるモータの取付構造によれば、図１および図２に示したものと同様の作用効果を得ることができることに加えて、さらに凹部１５の内周面に、突起部１１の両側に位置して円周方向の移動を阻止する壁部２０を形成しているために、取り付け後にモータ１０が軸線廻りに回転して突起部１１と係止部１６の係合が外れることを確実に防止することができる。